【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
ウェブベースのデスクトップ生産性アプリケーションを介してマルチメディアファイルを挿入する方法であって、
ネットワークを介してクライアントコンピュータから前記マルチメディアファイルに対する要求を第１のサーバコンピュータにおいて受信するステップであって、前記クライアントコンピュータは、ウェブブラウザを介して前記ウェブベースのデスクトップ生産性アプリケーションを表示するように構成された、ステップと、
前記マルチメディアファイルに対する前記要求を受信すると、前記ネットワークを介して前記第１のサーバコンピュータから第２のサーバコンピュータに前記マルチメディアファイルに対する前記要求を送信するステップであって、前記マルチメディアファイルに対する要求は、前記第１のサーバコンピュータ上で実行するプロキシウェブサービスを介して送信され、前記プロキシウェブサービスは、前記ウェブブラウザ上のクロスサイトスクリプティングセキュリティ手段を迂回するように構成された、ステップと、
前記マルチメディアファイルに対する前記要求を送信すると、前記ネットワークを介して前記第２のサーバコンピュータから前記マルチメディアファイルを前記第１のサーバコンピュータにおいて受信するステップであって、前記マルチメディアファイルに対する前記要求を送信すると、前記ネットワークを介して前記第２のサーバコンピュータから前記マルチメディアファイルを前記第１のサーバコンピュータにおいて受信するステップは、前記第１のサーバコンピュータ上で実行するレシーバウェブサービスを介して前記マルチメディアファイルを前記第１のサーバコンピュータにおいて受信するステップを含み、前記レシーバウェブサービスは、ドキュメントに挿入されるべき前記マルチメディアファイルを前記ウェブベースのデスクトップ生産性アプリケーションに転送するように構成され、前記ウェブベースのデスクトップ生産性アプリケーションは、前記マルチメディアファイルを、前記クライアントコンピュータによって指定された前記ドキュメント内のプレースホルダ上に挿入する、ステップと、
前記第１のサーバコンピュータにおいて、前記ウェブベースのデスクトップ生産性アプリケーションによって編集されるドキュメントに前記マルチメディアファイルを挿入するステップと
を含む方法。
【請求項２】
前記マルチメディアファイルは、クリップアート画像を含み、前記第２のサーバコンピュータは、クリップアートライブラリを含むことを特徴とする請求項１記載の方法。
【請求項３】
前記ネットワークを介してクライアントコンピュータから前記マルチメディアファイルに対する要求を第１のサーバコンピュータにおいて受信するステップは、
前記ネットワークを介して前記クライアントコンピュータから検索語を前記第１のサーバコンピュータにおいて受信するステップと、
前記検索語を受信すると、前記ネットワークを介して前記第１のサーバコンピュータから前記第２のサーバコンピュータに前記検索語に対応する表示に対する要求を送信するステップであって、前記表示に対する前記要求は、前記プロキシウェブサービスを介して送信される、ステップと、
前記表示に対する要求を送信すると、前記ネットワークを介して前記第２のサーバコンピュータから前記表示を前記第２のサーバコンピュータにおいて受信するステップと、
前記表示を表示するステップと
を含むことを特徴とする請求項１記載の方法。
【請求項４】
前記ネットワークを介して前記第１のサーバコンピュータから前記第２のサーバコンピュータに前記検索語に対応する表示に対する要求を送信するステップは、前記検索語に対応する前記表示に対する要求を前記第１のサーバコンピュータから前記第２のサーバコンピュータの検索ウェブサービスに送信するステップを含み、前記検索ウェブサービスは、前記表示を検索するための専用のウェブサービスを含むことを特徴とする請求項３記載の方法。
【請求項５】
前記表示は、サムネイル画像を含むことを特徴とする請求項３記載の方法。
【請求項６】
前記ネットワークを介してクライアントコンピュータから前記マルチメディアファイルに対する要求を前記第１のサーバコンピュータにおいて受信するステップは、前記表示を表示すると、前記表示のうちの１つへの選択を前記第１のサーバコンピュータにおいて受信するステップを含むことを特徴とする請求項３記載の方法。
【請求項７】
前記表示の各々は、ＵＲＬ（ｕｎｉｆｏｒｍ  ｒｅｓｏｕｒｃｅ  ｌｏｃａｔｏｒ）に関連し、前記ＵＲＬの各々は、前記表示に対応する前記マルチメディアファイルの場所を指定することを特徴とする請求項６記載の方法。
【請求項８】
前記ネットワークを介して前記第１のサーバコンピュータから第２のサーバコンピュータに前記マルチメディアファイルに対する前記要求を送信するステップは、前記第１のサーバコンピュータから前記第２のサーバコンピュータのファイル読み出しウェブサービスに前記選択された表示に対応する前記ＵＲＬを送信するステップを含み、前記ファイル読み出しウェブサービスは、前記マルチメディアファイルを読み出すための専用のウェブサービスを含むことを特徴とする請求項７記載の方法。
【請求項９】
前記ネットワークは、企業ネットワークを含むことを特徴とする請求項１記載の方法。
【請求項１０】
ウェブベースのデスクトップ生産性アプリケーションを介してマルチメディアファイルを挿入する方法であって、前記方法は、
ネットワークを介してクライアントコンピュータから検索語を前記第１のサーバコンピュータにおいて受信するステップと、
前記検索語を受信すると、前記ネットワークを介して前記第１のサーバコンピュータから第２のサーバコンピュータに、前記検索語に対応する表示に対する要求を送信するステップであって、前記表示に対する前記要求は、前記第１のサーバコンピュータ上で実行するプロキシウェブサービス（１３６）を介して送信され、前記プロキシウェブサービスは、前記ウェブブラウザ上のクロスサイトスクリプティングセキュリティ手段を迂回するように構成され、前記表示のそれぞれはＵＲＬ（ｕｎｉｆｏｒｍ  ｒｅｓｏｕｒｃｅ  ｌｏｃａｔｏｒ）に関連付けられており、前記ＵＲＬのそれぞれは前記表示に対応する前記マルチメディアファイルの場所を指定する、ステップと、
前記ネットワークを介して前記第１のサーバコンピュータから第２のサーバコンピュータに前記マルチメディアファイルに対する要求を送信するステップと、
を備え、前記ネットワークを介して前記第１のサーバコンピュータから第２のサーバコンピュータに前記マルチメディアファイルに対する要求を送信するステップは、前記第１のサーバコンピュータから前記第２のサーバコンピュータにおけるファイル読み出しウェブサービスに前記選択された表示に対応する前記ＵＲＬを送信するステップを含み、前記ファイル読み出しウェブサービスは、前記マルチメディアファイルを読み出すための専用のウェブサービスを含み、
前記方法は、さらに、
前記表示に対する前記要求を送信すると、前記ネットワークを介して前記第２のサーバコンピュータから前記表示を前記第１のサーバコンピュータにおいて受信するステップと、
前記ウェブベースのデスクトップ生産性アプリケーションを介して前記表示を表示するステップと、
前記表示を表示すると、前記ネットワークを介して前記クライアントコンピュータから前記表示のうちの１つへの選択を前記第１のサーバコンピュータにおいて受信するステップと、
前記表示のうちの１つへの選択を受信すると、前記ネットワーク（を介して、前記第１のサーバコンピュータから前記第２のサーバコンピュータに前記選択された表示に対応する前記マルチメディアファイルに対する要求を送信するステップであって、前記マルチメディアファイルに対する前記要求は、前記プロキシウェブサービスを介して送信される、ステップと、
前記マルチメディアファイルに対する前記要求を送信すると、前記ネットワークを介して前記第２のサーバコンピュータから前記マルチメディアファイルを前記第１のサーバコンピュータにおいて受信するステップと、
前記第１のサーバコンピュータにおいて、前記マルチメディアファイルを前記ウェブベースのデスクトップ生産性アプリケーションによって編集されるドキュメントに挿入するステップと
を備えることを特徴とする方法。
【請求項１１】
前記マルチメディアファイルはクリップアート画像を含み、前記サーバコンピュータはクリップアートライブラリを含むことを特徴とする請求項１０記載の方法。
【請求項１２】
前記表示は、サムネイル画像を含むことを特徴とする請求項１１記載の方法。
【請求項１３】
前記ウェブベースのデスクトップ生産性アプリケーションは、ウェブベースのワードプロセッシングアプリケーション、ウェブベースのスプレッドシートアプリケーション、またはウェブベースのプレゼンテーションアプリケーションを含むことを特徴とする請求項１０記載の方法。
【請求項１４】
コンピュータ実行可能命令を格納した非信号のコンピュータ可読記録媒体であって、コンピュータによって実行されると、
ネットワークを介して、ウェブベースのデスクトップ生産性アプリケーションを表示するウェブブラウザを実行するクライアントコンピュータから検索語を第１のサーバコンピュータにおいて受信するステップと、
前記検索語を受信すると、前記ネットワークを介して前記第１のサーバコンピュータから第２のサーバコンピュータに前記検索語に対応するサムネイル画像に対する要求を送信するステップであって、前記サムネイル画像に対する前記要求は、前記第１のサーバコンピュータ上で実行されるプロキシウェブサービスを介して送信され、前記プロキシウェブサービスは、前記ウェブブラウザ上のクロスサイトスクリプティングセキュリティ手段を迂回するように構成された、ステップと、
前記サムネイル画像に対する要求を送信すると、前記ネットワークを介して前記サーバコンピュータから前記サムネイル画像を前記第１のサーバコンピュータにおいて受信するステップと、
前記ウェブベースのデスクトップ生産性アプリケーションを介して前記サムネイル画像を表示するステップと、
前記サムネイル画像を表示すると、前記ネットワークを介して前記クライアントコンピュータから前記サムネイル画像のうちの１つへの選択を前記第１のサーバコンピュータにおいて受信するステップと、
前記サムネイル画像のうちの１つへの選択を受信すると、前記ネットワークを介して前記第１のサーバコンピュータから前記第２のサーバコンピュータに、クリップアート画像に対応するメタデータに対する要求を送信するステップであって、前記クリップアート画像は、前記選択されたサムネイル画像に対応し、前記メタデータに対する要求は、前記プロキシウェブサービスを介して送信され、前記サムネイル画像のそれぞれはＵＲＬ（ｕｎｉｆｏｒｍ  ｒｅｓｏｕｒｃｅ  ｌｏｃａｔｏｒ）に関連付けられており、前記ＵＲＬのそれぞれは前記サムネイル画像に対応する前記クリップアート画像の場所を指定する、ステップと、
前記ネットワークを介して前記第１のサーバコンピュータから前記第２のサーバコンピュータに前記選択されたサムネイル画像に対応するクリップアート画像に対する要求を送信するステップと
を前記コンピュータに実行させ、前記コンピュータ可読媒体に格納された前記コンピュータ実行可能命令は、コンピュータによって実行されると、前記第１のサーバコンピュータから前記第２のサーバコンピュータにおけるファイル読み出しウェブサービスに前記選択されたサムネイルに対応する前記ＵＲＬを送信するステップを、前記コンピュータに実行させ、前記ファイル読み出しウェブサービスは、前記クリップアート画像を読み出すための専用のウェブサービスを含み、
前記コンピュータ可読媒体に格納された前記コンピュータ実行可能命令は、コンピュータによって実行されると、さらに、
前記メタデータに対する前記要求を送信すると、前記ネットワークを介して前記第２のサーバコンピュータから前記メタデータを前記第１のサーバコンピュータにおいて受信するステップと、
前記ウェブベースのデスクトップ生産性アプリケーションを介して前記メタデータを表示するステップと、
前記ネットワークを介して前記第２のサーバコンピュータから、前記クリップアート画像を前記ウェブベースのデスクトップ生産性アプリケーションによって編集されるドキュメントに挿入せよという命令を前記第１のサーバコンピュータにおいて受信するステップと、
前記命令を受信すると、前記ネットワークを介して前記第１のサーバコンピュータから前記第２のサーバコンピュータに前記クリップアート画像に対する要求を送信するステップと、
前記クリップアート画像に対する前記要求を送信すると、前記ネットワークを介して前記第２のサーバコンピュータから前記クリップアート画像（を前記第１のサーバコンピュータにおいて受信するステップと、
前記第１のサーバコンピュータにおいて、前記クリップアート画像を前記ウェブベースのデスクトップ生産性アプリケーションによって編集されるドキュメントに挿入するステップと
を前記コンピュータに実行させることを特徴とするコンピュータ可読記録媒体。